【手続補正書】
【提出日】平成27年7月10日(2015.7.10)
【手続補正１】
【補正対象書類名】特許請求の範囲
【補正対象項目名】全文
【補正方法】変更
【補正の内容】
【特許請求の範囲】
【請求項１】
光学データ記憶媒体であって、
ポリビニルアルコール、ポリ（アルキルメタクリレート）、ポリ（アルキルアクリレート）、ポリスチレン、ポリカーボネート、ポリアクリレート、ポリ（塩化ビニリデン）、ポリ（酢酸ビニル）又はこれらの組合せを含むポリマーマトリックスと、
三重項励起の際に変化を受けることにより屈折率の変化を引き起こすことができる反応体であって、シンナメート、シンナメート誘導体、シンナムアミド誘導体又はこれらの組合せを含む反応体と、
化学線を吸収して前記反応体への上位三重項エネルギー移動を起こすことができる非線形増感剤であって、トリアリールメタン色素、ピロニンＹ又はこれらの組合せを含む非線形増感剤と
を含んでなり、媒体の屈折率変化能力が少なくとも０．００５である、光学データ記憶媒体。
【請求項２】
媒体の屈折率変化が少なくとも０．０５である、請求項１記載の光学データ記憶媒体。
【請求項３】
反応体が、ポリビニルシンナメート（ＰＶＣｍ）、ポリビニル４−クロロシンナメート（ＰＶ４−ＣｌＣｍ）、ポリビニル３−クロロシンナメート（ＰＶ３−ＣｌＣｍ）、ポリビニル２−クロロシンナメート（ＰＶ２−ＣｌＣｍ）、ポリビニル４−メトキシシンナメート（ＰＶ４−ＭｅＯＣｍ）、ポリビニル３−メトキシシンナメート（ＰＶ３−ＭｅＯＣｍ）、ポリビニル２−メトキシシンナメート（ＰＶ２−ＭｅＯＣｍ）、（２Ｅ，２’Ｅ）−（（１Ｓ，２Ｓ）−シクロヘキサン−１，２−ジイル）ビス（３−フェニルアクリレート）、（２Ｅ，２’Ｅ）−（１Ｓ，２Ｓ）−シクロヘキサン−１，２−ジイル）ビス（４−クロロフェニルアクリレート）、（２Ｅ，２’Ｅ）−（１Ｓ，２Ｓ）−シクロヘキサン−１，２−ジイル）ビス（４−メトキシフェニル）アクリレート）、（２Ｅ，２’Ｅ）−Ｎ，Ｎ’−（（１Ｓ，２Ｓ）−シクロヘキサン−１，２−ジイル）ビス（３−フェニル）アクリルアミド、（２Ｅ，２’Ｅ）−Ｎ，Ｎ’−（（１Ｓ，２Ｓ）−シクロヘキサン−１，２−ジイル）ビス（３−（４−クロロフェニル）アクリルアミド）、（２Ｅ，２’Ｅ）−Ｎ，Ｎ’−（（１Ｓ，２Ｓ）−シクロヘキサン−１，２−ジアリール）ビス（３−（４−メトキシフェニル）アクリルアミド、又はこれらの組合せを含む、請求項１又は請求項２記載の光学データ記憶媒体。
【請求項４】
媒体がマイクロホログラフィックデータを記憶することができる、請求項１乃至請求項３のいずれか１項記載の光学データ記憶媒体。
【請求項５】
さらに、非線形増感剤と反応体との間でエネルギーを移動することができるメディエイターを含む、請求項１乃至請求項４のいずれか１項記載の光学データ記憶媒体。
【請求項６】
メディエイターがアセトフェノン、ジメチルフタレート、ベンゾフェノン、９Ｈ−フルオレン、ビフェニル、フェナントレン、１−ナフトニトリル、又はこれらの組合せを含む、請求項５記載の光学データ記憶媒体。
【請求項７】
非線形増感剤が逆可飽和吸収剤を含む、請求項１乃至請求項６のいずれか１項記載の光学データ記憶媒体。
【請求項８】
非線形増感剤が、エチルバイオレット、クリスタルバイオレット、ローズベンガル、ローダミン１２３、ピロニンＹ、クリスタルバイオレットラクトン又はこれらの組合せを含む、請求項７記載の光学データ記憶媒体。
【請求項９】
さらに、光安定剤を含む、請求項８記載の光学データ記憶媒体。
【請求項１０】
光安定剤がビスジチオベンジルニッケルを含む、請求項９記載の光学データ記憶媒体。
【請求項１１】
反応体及び非線形増感剤がポリマーマトリックス全体に実質的に均一に分布している、請求項１乃至請求項１０のいずれか１項記載の光学データ記憶媒体。
【請求項１２】
マイクロホログラフィックデータのビット様記録のための光学データ記憶媒体であって、
ポリビニルアルコール、ポリ（アルキルメタクリレート）、ポリ（アルキルアクリレート）、ポリスチレン、ポリカーボネート、ポリアクリレート、ポリ（塩化ビニリデン）、ポリ（酢酸ビニル）又はこれらの組合せを含むポリマーマトリックスと、
三重項励起の際に変化を受けることにより屈折率の変化を引き起こすことができる反応体であって、シンナメート、シンナメート誘導体、シンナムアミド誘導体又はこれらの組合せを含む反応体と、
化学線を吸収して前記反応体への上位三重項エネルギー移動を起こすことができる逆可飽和吸収剤を含む非線形増感剤であって、トリアリールメタン色素、ピロニンＹ又はこれらの組合せを含む非線形増感剤と
を含んでなり、 媒体の屈折率変化能力が少なくとも０．００５である、光学データ記憶媒体。
【請求項１３】
媒体の屈折率変化が少なくとも０．０５である、請求項１２記載の光学データ記憶媒体。
【請求項１４】
反応体が、ポリビニルシンナメート（ＰＶＣｍ）、ポリビニル４−クロロシンナメート（ＰＶ４−ＣｌＣｍ）、ポリビニル３−クロロシンナメート（ＰＶ３−ＣｌＣｍ）、ポリビニル２−クロロシンナメート（ＰＶ２−ＣｌＣｍ）、ポリビニル４−メトキシシンナメート（ＰＶ４−ＭｅＯＣｍ）、ポリビニル３−メトキシシンナメート（ＰＶ３−ＭｅＯＣｍ）、ポリビニル２−メトキシシンナメート（ＰＶ２−ＭｅＯＣｍ）、（２Ｅ，２’Ｅ）−（（１Ｓ，２Ｓ）−シクロヘキサン−１，２−ジイル）ビス（３−フェニルアクリレート）、（２Ｅ，２’Ｅ）−（１Ｓ，２Ｓ）−シクロヘキサン−１，２−ジイル）ビス（４−クロロフェニルアクリレート）、（２Ｅ，２’Ｅ）−（１Ｓ，２Ｓ）−シクロヘキサン−１，２−ジイル）ビス（４−メトキシフェニル）アクリレート）、（２Ｅ，２’Ｅ）−Ｎ，Ｎ’−（（１Ｓ，２Ｓ）−シクロヘキサン−１，２−ジイル）ビス（３−フェニル）アクリルアミド、（２Ｅ，２’Ｅ）−Ｎ，Ｎ’−（（１Ｓ，２Ｓ）−シクロヘキサン−１，２−ジイル）ビス（３−（４−クロロフェニル）アクリルアミド）、（２Ｅ，２’Ｅ）−Ｎ，Ｎ’−（（１Ｓ，２Ｓ）−シクロヘキサン−１，２−ジアリール）ビス（３−（４−メトキシフェニル）アクリルアミド、又はこれらの組合せを含む、請求項１２又は請求項１３記載の光学データ記憶媒体。
【請求項１５】
非線形増感剤が、エチルバイオレット、クリスタルバイオレット、ローズベンガル、ローダミン１２３、ピロニンＹ、及びクリスタルバイオレットラクトンから選択される、請求項１２乃至請求項１４のいずれか１項記載の光学データ記憶媒体。
【請求項１６】
さらに、非線形増感剤と反応体との間でエネルギーを移動することができるメディエイターを含む、請求項１２乃至請求項１５のいずれか１項記載の光学データ記憶媒体。
【請求項１７】
メディエイターがアセトフェノン、ジメチルフタレート、ベンゾフェノン、９Ｈ−フルオレン、ビフェニル、フェナントレン、１−ナフトニトリル、又はこれらの組合せを含む、請求項１６記載の光学データ記憶媒体。
【請求項１８】
ポリビニルアルコール、ポリ（アルキルメタクリレート）、ポリ（アルキルアクリレート）、ポリスチレン、ポリカーボネート、ポリアクリレート、ポリ（塩化ビニリデン）、ポリ（酢酸ビニル）又はこれらの組合せを含むポリマーマトリックスと、三重項励起の際に変化を受けることにより屈折率の変化を起こすことができる反応体であって、シンナメート、シンナメート誘導体、シンナムアミド誘導体又はこれらの組合せを含む反応体と、化学線を吸収して前記反応体への上位三重項エネルギー移動を起こすことができる非線形増感剤であって、トリアリールメタン色素、ピロニンＹ又はこれらの組合せを含む非線形増感剤とを含んでいて、媒体の屈折率変化能力が少なくとも０．００５である、光学データ記憶媒体を準備し、
前記光学データ記憶媒体にマイクロホログラムを記録する
ことを含んでなる、光学データの保存方法。